(57)【特許請求の範囲】
【請求項１】
冷蔵庫用ドアの外面を形成し、前記外面が３次元立体形状を有する外板；
前記外面の内側に位置し、少なくとも一つの溝部を有するグルーブタイプの真空断熱材；及び
内部に充填された発泡断熱材；を含み、
前記ドアは、前記外面に付着した装飾フィルム；をさらに含み、
前記装飾フィルムは、
基材フィルム層、
前記基材フィルム層の下部に形成される金属蒸着印刷層、及び
前記基材フィルム層の上部に互いに離隔して付着された多数の透明突起からなる透明突起層を含むことを特徴とする、３次元立体形状を有する冷蔵庫用断熱ドア
【請求項２】
前記ドアは、前記真空断熱材を固定する固定部；をさらに含むことを特徴とする、請求項１に記載の３次元立体形状を有する冷蔵庫用断熱ドア。
【請求項３】
前記固定部は、プラスチック素材からなることを特徴とする、請求項２に記載の３次元立体形状を有する冷蔵庫用断熱ドア。
【請求項４】
前記真空断熱材は、
ガラス繊維を含み、一つ以上の溝部を有する芯材、及び
前記芯材を覆いながら内部を減圧した外被材を含むことを特徴とする、請求項１に記載の３次元立体形状を有する冷蔵庫用断熱ドア。
【請求項５】
前記外面には、くさび状のパターンが繰り返し形成されており、
前記各パターンのうち隣接したパターンは、非同一平面上に形成されていることを特徴とする、請求項１に記載の冷蔵庫用ドア。
【発明の詳細な説明】
【技術分野】
【０００１】
本発明は、冷蔵庫用断熱ドアに関し、より詳細には、外部に露出する面が３次元の立体形状を有することによって優れた立体効果の具現が可能であり、真空断熱材の適用によって断熱性能に優れた３次元立体形状を有する冷蔵庫用断熱ドアに関する。
【背景技術】
【０００２】
最近の冷蔵庫用ドア構造体を見ると、外部面は全て２次元の平面形態となっており、断熱のためにドアの内部に発泡断熱材が充填されている。冷蔵庫用ドア構造体は、韓国公開特許１０―２００２―００１９１７０号などの先行文献に開示されている。
【０００３】
このような冷蔵庫用ドア構造体は、外部面が２次元の平面形態となっており、ガラス素材で仕上げ作業がなされている。しかし、ドアの外部面が２次元平面形態となっている一般の冷蔵庫は、立体効果を具現するのに不十分である。このような短所を克服するために、前記ドアを３次元の立体形状にするための試みが活発にされているが、ガラス仕上げ材を使用する一般的な技術では製造が難しいという問題があり、また、費用が多くかかるという問題がある。
【０００４】
併せて、３次元の立体形状を有する冷蔵庫用ドアを製作したとしても、これに対する断熱性をどのような方式で確保するかが問題となる。
【発明の概要】
【発明が解決しようとする課題】
【０００５】
本発明は、前記のような問題を解決するためのものであって、既存の２次元平面形状の外面を有する冷蔵庫用ドアに取って代わる３次元立体形状の外面を有する冷蔵庫用断熱ドアを提供することを目的とする。
【課題を解決するための手段】
【０００６】
前記目的を達成するための本発明の一実施例に係る冷蔵庫用断熱ドアは、冷蔵庫用ドアの外面を形成し、前記外面が３次元立体形状を有する外板と、前記外面の内側に位置し、少なくとも一つの溝部を有するグルーブタイプの真空断熱材と、内部に充填された発泡断熱材とを含むことを特徴とする。
【発明の効果】
【０００７】
本発明に係る３次元立体形状を有する冷蔵庫用断熱ドアは、外面が３次元立体形状に構成されることによって、印刷効果を超えた立体効果の具現が可能であるという効果を有する。
【０００８】
また、本発明の冷蔵庫用断熱ドアは、内部に発泡断熱材が充填されており、外板の内側に位置し、グルーブ形状を有する真空断熱材が設置されることによって、優れた断熱性能を確保できるという効果を有する。
【図面の簡単な説明】
【０００９】
【図１】本発明の一実施例に係る３次元立体形状を有する冷蔵庫用断熱ドアの構造を概略的に示す断面図である。
【図２】本発明の一実施例に係る３次元立体形状を有する冷蔵庫用断熱ドアが適用された冷蔵庫の正面図である。
【図３】本発明の一実施例に係る３次元立体形状を有する冷蔵庫用断熱ドアが適用された冷蔵庫の側面図である。
【図４】本発明の他の実施例に係る３次元立体形状を有する冷蔵庫用断熱ドアが適用された冷蔵庫の正面図である。
【図５】本発明の一実施例に係る３次元立体形状を有する冷蔵庫用断熱ドアが適用された冷蔵庫のイメージである。
【発明を実施するための形態】
【００１０】
本発明の利点及び特徴、そして、それらを達成する方法は、添付の図面と共に詳細に説明している各実施例を参照すれば明確になるだろう。しかし、本発明は、以下で開示する各実施例に限定されるものではなく、互いに異なる多様な形態に具現可能である。但し、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたって同一の参照符号は同一の構成要素を示す。
【００１１】
以下、添付の図面を参照して、本発明に係る３次元立体形状を有する冷蔵庫用断熱ドアについて詳細に説明する。
【００１２】
３次元立体形状を有する冷蔵庫用断熱ドア
図１は、本発明の一実施例に係る３次元立体形状を有する冷蔵庫用断熱ドアの構造を概略的に示す断面図である。
【００１３】
図１を参照すると、本発明に係る冷蔵庫用断熱ドア１０は、３次元立体形状を有する外板１と、少なくとも一つの溝部を有するグルーブタイプの真空断熱材３と、内部に充填された発泡断熱材（図示せず）とを含む。
【００１４】
図１は、冷蔵庫用ドアを示しており、特に外板１部分について詳細に示している。本発明に係る冷蔵庫用ドアは、冷蔵庫において外部面に露出する外板１と冷蔵庫の内部に向かっている内板（図示せず）との結合からなるものであるが、本発明は、内板（図示せず）の形状及び構造や、外板１と内板（図示せず）との結合関係などが特別に制限されるものではなく、当業界で公知の事項によっていくらでも設計変更が可能である。
【００１５】
まず、本発明の冷蔵庫用ドアの一構成である外板１は、冷蔵庫用ドアの外面を形成する部分が３次元の立体形状を有する。冷蔵庫用ドアの外面とは、冷蔵庫の完製品のドアを見たとき、外部に露出する面を意味する。既存の冷蔵庫用ドアの外面はいずれも平面形状に製作されており、このような平面形状の外面にパターンを印刷することによって立体効果を具現した。その一方、本発明に係る冷蔵庫用ドアは、プレッシングなどのディープドローイング技術を用いて外板を３次元立体形状に製作する。
【００１６】
図２ないし図５は、本発明に係る冷蔵庫用ドアが適用された冷蔵庫に対する正面図、側面図及びイメージである。図２ないし図５を参照すると、本発明に係る冷蔵庫用ドアは、既存の冷蔵庫用ドアとは異なって、外面が立体形状を有することが分かる。
【００１７】
前記ドアの外面に形成された３次元立体形状は、特別に制限された形状である必要はない。但し、光と影による立体感の具現のために、好ましくは、くさび状のパターンが繰り返し形成されており、前記各パターンのうち隣接したパターンは非同一平面上に形成されている立体形状であり得る。
【００１８】
図２ないし図５を参照すると、冷蔵庫用ドアの外面には、左側または右側に向かって行くほど幅が狭くなるくさび状のパターンが繰り返されており、このようなパターンのうち隣接したパターンは非同一平面上に形成されている。すなわち、各パターンは３次元構造に形成されている。そして、本発明に係る冷蔵庫用断熱ドアは、図２及び図３に示したように、側面から見ると、屈曲が形成されている３次元立体形状を有することもでき、図４に示したように、ドアの外面の中間部分に屈曲が形成された３次元立体形状を有することもできる。
【００１９】
このような形状により、本発明に係る冷蔵庫用断熱ドアは、光と影による立体感の具現に非常に優れる。
【００２０】
次に、本発明に係る冷蔵庫用断熱ドアは、断熱性の向上のために真空断熱材３が設置され、前記真空断熱材３は、ドアの外面の立体形状に合わせて溝部を有するグルーブタイプであることを特徴とする。既存の冷蔵庫の外面は平面であるので、一般的な平面形態の真空断熱材を適用することが可能であるが、本発明のように３次元立体形状の外面を有する冷蔵庫用ドアには平面状の真空断熱材を適用するのに無理がある。したがって、本発明に使用される真空断熱材３は、冷蔵庫用ドアの外面の立体形状にぴったり合う溝部を有する。前記溝部を通じて真空断熱材を容易に曲げることができる。前記溝部を形成する方法は、特別に制限されるものではない。製造された真空断熱材をジグなどで押して溝部を形成できるが、好ましくは、溝部を有する芯材を製作した後、これを外被材で覆いながら減圧することによってグルーブタイプの真空断熱材を製作することができる。
【００２１】
すなわち、本発明では、ガラス繊維を含み、一つ以上の溝部を有する芯材と、前記芯材を覆いながら内部を減圧した外被材とを含む真空断熱材３を用いることが好ましい。前記溝部は、芯材を製造した後で芯材に形成することもでき、または、芯材を外被材で覆った後で形成することもできる。
【００２２】
ここで、芯材は、ガラス繊維を含むものであれば制限されないが、シリカボード、グラスボード及びグラスウールから選ばれる一つ以上を含む材質で形成することが好ましく、特に、ガラス繊維で組成された湿式ガラスボードを１５０℃以下で乾燥したものを使用して形成することが好ましい。
【００２３】
本発明に係る芯材は、前記のような各材質からなるボードを１枚使用したり、前記各材質からなるボードを多数枚積層して形成することができる。前記溝部の幅は芯材の厚さの２倍以上であることが好ましく、溝部の断面の端部は曲線であることが好ましいが、この場合、曲げ時に外被材に加えられるストレスを最小化することができる。
【００２４】
ここで、前記外被材は、外部衝撃から表面や内部の芯材などを保護するだけでなく、ガスバリアとして内部の真空度を維持し、外部のガスまたは水分などの流入を遮断する役割をする。
【００２５】
前記外被材は、曲げ時、曲がった部位が延伸され、その部位での酸素及び水分の透過が増加し、真空断熱材の内部の真空度が低下し得るので、複数のフィルムを乾式接着方式（Ｄｒｙ  Ｌａｍｉｎａｔｉｏｎ）によって積層したものを使用して形成することが好ましい。
【００２６】
前記外被材を構成する複数のフィルムは、それぞれ接着層、接着層の上部に形成される金属バリア層及び表面保護層を順次構成する。このとき、接着層は、封止体の内部に形成される層と定義し、表面保護層は、最外郭に露出する層と定義することができる。
【００２７】
本発明に係る冷蔵庫用断熱ドアは、内部に発泡断熱材（図示せず）が充填されている。前記発泡断熱材としては、硬質ウレタンなどの公知の発泡断熱材を使用することができる。前記発泡断熱材は、冷蔵庫用断熱ドアの内部に原液が注入された後、発泡されて形成される。
【００２８】
すなわち、本発明に係る冷蔵庫用断熱ドアは、グルーブ形状を有する真空断熱材３と発泡断熱材（図示せず）によって優れた断熱性能を確保することができる。
【００２９】
また、本発明に係る冷蔵庫用ドアは、前記真空断熱材３を外板１の内側に固定できる固定部４をさらに含むことができる。前記固定部４は、断面‘Ｌ’字型に構成され、前記真空断熱材３を固定することができる。
【００３０】
前記固定部は、プラスチック素材で形成されることが好ましく、特に軟性のプラスチック素材で形成され、真空断熱材を固定することができる。
【００３１】
次に、本発明の冷蔵庫用ドアの面には装飾フィルム２を付着させることができる。前記装飾フィルム２は、冷蔵庫用ドアの外面に付着して金属質感を付与し、また、パール及びメタリックによる多様なパターンを付与する。すなわち、前記装飾フィルム２は、冷蔵庫用ドアの外板の外面に付着するものである。前記装飾フィルムは、前記外板のプレッシング成形前に付着することが好ましいが、技術及び物性改善に応じてプレッシング成形後にも付着することができる。
【００３２】
前記装飾フィルム２は、金属質感効果またはパール及びメタリックによる多様なパターン付与効果を示すことができる公知の装飾フィルムであれば特別に制限されないが、３次元立体形状を有する外面に最適化された装飾フィルムであることが好ましい。
【００３３】
本発明で好ましく使用される装飾フィルム２は、基材フィルム層と、前記基材フィルム層の下部に形成される金属蒸着印刷層と、前記基材フィルム層の上部に互いに離隔して付着された多数の透明突起からなる透明突起層とを含むことができる。
【００３４】
本発明の冷蔵庫用ドアの外面には、３次元効果のために屈曲（直線及び自由曲線）が形成されているので、既存の装飾フィルムを用いる場合、耐指紋性が弱化するおそれがある。これは、屈曲した面では、耐指紋性を発揮できる微細な突起の形態が崩れ得るためである。したがって、本発明では、微細な突起がそれぞれ離隔して付着されながら独立的に構成されている透明突起層を有する装飾フィルムを用いることが好ましい。
【００３５】
前記装飾フィルムの基材フィルム層には、装飾フィルムに使用される公知の基材フィルムであれば特別に制限されずに使用することができる。好ましくは、ポリエステル系樹脂を使用した透明フィルムまたはカラーフィルムを使用することができる。
【００３６】
前記装飾フィルムの印刷層は、前記基材フィルム層の下部に形成される。但し、前記印刷層は、装飾フィルムの構造上、必ずしも基材フィルム層の下部表面に形成されるべきものではなく、前記基材フィルム層と印刷層との間には他の構成を含ませることができる。前記印刷層は、金属感のパターンを示すために金属の蒸着によって形成することができる。
【００３７】
前記透明突起層は、互いに離隔して付着された多数の透明突起からなっている。前記各透明突起は、それぞれ独立的に構成されており、互いに離隔して基材フィルム層の上部に付着する。ここで、各透明突起が付着することは、接着または粘着などによって各透明突起が基材フィルム層の上部に固定されることを意味する。また、前記各透明突起は、必ずしも基材フィルム層の表面に付着するものではなく、基材フィルム層の上部に形成できる他の構成の表面に付着することもできる。それぞれの透明突起は、装飾フィルムの表面と一体に形成されない。前記透明突起は、好ましくは、硬化型高分子樹脂などで製作できるが、これに限定されるものではない。また、透明突起の形状も制限されなく、シートの用途上、多様に変更することができる。前記透明突起は、半球、星、菱形、台形、三角形及びストライプ状の突起形状を全て含むことができる。
【００３８】
上述したように、本発明に係る冷蔵庫用断熱ドア１０は、３次元立体形状を有する外板１と、グルーブタイプの真空断熱材３と、内部に充填された発泡断熱材（図示せず）とを含み、前記外面に付着した装飾フィルム２をさらに含むことができ、印刷効果を超える優れた立体効果を具現するだけではなく、優れた断熱性能も確保できるという長所を有する。
【００３９】
以上では、本発明の実施例を中心に説明したが、これは、例示的なものに過ぎなく、本発明の属する技術分野で通常の知識を有する技術者であれば、これから多様な変形及び均等な他の実施例が可能であることを理解するだろう。したがって、本発明の真の技術的保護範囲は、以下で記載する特許請求の範囲によって判断すべきであろう。
【図１】
0005771756.tif 000002
【図２】
0005771756.tif 000003
【図３】
0005771756.tif 000004
【図４】
0005771756.tif 000005
【図５】
0005771756.tif 000006